(57)【要約】【課題】近接撮影の際のモード切替が容易で、近接撮影される被写体への焦点合わせや位置合わせ等が確実にできる情報端末装置を提供する。【解決手段】  図２（Ａ）に示すように携帯電話１０の第１の筐体１０ａと第２の筐体１０ｂがほぼ直角になるように開かれると、図２（Ｂ）に示すようにボール２８はばね２６の弾性力によって軸２２から半分ほど突出した状態となり、モード切替スイッチ１８に押し付けられる。そして、モード切替スイッチ１８が押された状態で所定の時間経過すると、カメラ１２はマクロモードに切り替えられる。図２（Ｃ）に示すように、携帯電話１０が閉じられると、第１の筐体１０ａとともに軸２２が回転され、図２（Ｄ）に示すように、ボール２８はモード切替スイッチ１８から離れ、円筒状部材２０の内側の面の図における左側に設けられた半球状の凹部３０に収められる。一方、図２（Ｅ）に示すように携帯電話１０が開かれると、図２（Ｆ）に示すように球状部材２８は球状部材２８はモード切替スイッチ１８から離れ、凹部３２に収められる。【選択図】      図２
2005300671.tif 000002
【特許請求の範囲】
【請求項１】
開閉可能に接続された第１の筐体及び第２の筐体と、
前記第１の筐体に配置された撮像手段と、
前記第１の筐体と第２の筐体が所定の角度で開かれたときに、前記撮像手段をマクロモードに切り替えるモード切替手段と、
を備えることを特徴とする情報端末装置。
【請求項２】
開閉可能に接続された第１の筐体及び第２の筐体と、
前記筐体を閉じたとき前記第１の筐体の内側になる面に配置された撮像手段を備え、
撮影時に、前記第１の筐体と第２の筐体を所定の角度で開き、被写体と同一平面に前記第２の筐体の端面を接触させることを特徴とする情報端末装置。
【請求項３】
前記第２の筐体の端面に配置された、前記撮像手段に撮影指示を与える撮影指示手段を備え、
前記撮影指示手段は、前記被写体と同一平面に押し付けられたときに、前記撮像手段に撮影指示を与えることを特徴とする請求項２記載の情報端末装置。
【請求項４】
前記第２の筐体の端面に配置された、撮影時に前記第２の筐体を支持する３つの支持手段を備え、
前記３つの支持手段のうちいずれか１つの支持手段は、押圧されたときに前記撮像手段に撮影指示を与える撮影指示手段を兼ねていることを特徴とする請求項２記載の情報端末装置。
【請求項５】
前記３つの支持手段は、３つ同時に押圧されたときに前記撮像手段に撮影指示を与える撮影指示手段を兼ねていることを特徴とする請求項４記載の情報端末装置。
【請求項６】
開閉可能に接続された第１の筐体及び第２の筐体と、
前記筐体を閉じたとき前記第１の筐体の内側になる面に配置された撮像手段と、
前記筐体のいずれか一方の内側の面に配置された表示手段と、
を備え、
撮影時に、前記表示手段の表示を被写体照明用に変化させることを特徴とする情報端末装置。
【請求項７】
撮影時に、前記表示手段を少なくとも一部領域を単色の表示とすることを特徴とする請
求項６記載の情報端末装置。
【請求項８】
前記単色が白色であることを特徴とする請求項７記載の情報端末装置。
【請求項９】
前記第１の筐体の外側の面に配置された、前記撮像手段の撮影可能範囲を表示する表示手段を備えることを特徴とする請求項２から８のいずれか１項記載の情報端末装置。
【請求項１０】
撮像手段と、
前記撮像手段の撮影可能範囲を被写体側に投影する投影手段と、
を備えることを特徴とする情報端末装置。
【請求項１１】
前記投影手段が、発光素子と、
前記発光素子からの発光を被写体側に投影する投影光学系と、
を備えることを特徴とする請求項１０記載の情報端末装置。
【請求項１２】
前記撮像手段が、撮像素子と、
前記撮像素子に被写体の像を結像させる結像光学系と、
を備え、
前記投影手段が、前記撮像素子の周囲に配置された発光素子を備え、
前記結像光学系で、前記発光素子からの発光を被写体側に投影することを特徴とする請求項１０記載の情報端末装置。
【請求項１３】
前記撮像手段が、撮像素子と、
前記撮像素子を保護する保護部材と、
前記撮像素子に被写体の像を結像させる結像光学系と、
を備え、
前記投影手段が、前記保護部材に取り付けられた発光素子を備え、
前記結像光学系で、前記発光素子からの発光を被写体側に投影することを特徴とする請求項１０記載の情報端末装置。
【請求項１４】
前記投影手段が、撮影の瞬間に撮影可能範囲の投影を中断することを特徴とする請求項１０から１３のいずれか１項記載の情報端末装置。
【発明の詳細な説明】
【技術分野】
【０００１】
本発明は情報端末装置に係り、特にバーコード等の接写を行う撮像手段を備えた情報端末装置に関する。
【背景技術】
【０００２】
近年、携帯電話等の情報端末装置において、バーコード化されたデータを読み込んで携帯電話に入力するものがある。バーコードや２次元コード（ＱＲコード）は、電話番号や電子メールアドレス、ウェブページアドレス等の情報を表すことができるため、例えば、携帯電話の電話帳やインターネット機能とともに利用される。また、このような情報端末装置には、ＯＣＲ（光学文字読み取り）機能を有し、例えば、名刺等の文字情報を読み込んで利用できるものもある。このような情報端末装置の例として特許文献１には、バーコードリーダを備えた携帯電話が開示されている。
【０００３】
ところで、最近ではカメラ機能を備えた携帯電話等の情報端末装置が普及している。このような情報端末装置は、付属のカメラでバーコードや文字等の記号を撮影し、撮影された記号の画像を解読して記号情報を得る。しかしながら、記号を撮影する場合には、記号にカメラで近接させて撮影することが多く、記号に焦点が合わなかったり、撮影された記号の画像が小さすぎたりして、記号情報を正確に読み取れないおそれがある。
【０００４】
特許文献２には、記号情報を解読可能なレベルで画像を撮影できたかどうかを撮影者に報知する手段を備えるカメラ付き携帯電話の例が開示されている。さらに、特許文献２には、画像表示部（ディスプレイ）に２重の枠を設けて、内側の枠と外側の枠との間に記号の外縁部が収まるように位置決めをして撮影することにより、焦点合わせや位置決めを容易にしたカメラ付き携帯電話の例が開示されている。
【０００５】
また、特許文献３には、通常撮影用のカメラとは別に接写撮影用の第２のレンズを備え、アンテナの長さを利用して、第２のレンズと被写体との間の距離を最適化するようにした携帯電話の例が開示されている。
【特許文献１】特開２００２−２３２５３２号公報
【特許文献２】特開２００２−１７６５０９号公報
【特許文献３】特開２００２−２７０４７号公報（図９など）
【発明の開示】
【発明が解決しようとする課題】
【０００６】
しかしながら、上記の特許文献１及び特許文献３に開示された携帯電話は、それぞれカメラとは別にバーコードリーダ及び第２のレンズを備える必要があった。なお、特許文献２における焦点合わせや位置合わせ方法は本発明とは構成を異にする。
【０００７】
また、１つのカメラで通常の撮影と接写を行う際に、通常の撮影モードからマクロモードに切り替えるのが煩雑であるという問題があった。
【０００８】
本発明はこのような事情に鑑みてなされたもので、近接撮影の際のモード切替が容易で、近接撮影される被写体への焦点合わせや位置合わせ等が確実にできる情報端末装置を提供することを目的とする。
【課題を解決するための手段】
【０００９】
前記目的を達成するために請求項１に係る情報端末装置は、開閉可能に接続された第１の筐体及び第２の筐体と、前記第１の筐体に配置された撮像手段と、前記第１の筐体と第２の筐体が所定の角度で開かれたときに、前記撮像手段をマクロモードに切り替えるモード切替手段と、を備えることを特徴とする。
【００１０】
請求項１に係る情報端末装置によれば、撮影者が煩雑な操作をすることなく、自動で撮像手段（カメラ）を接写に適したマクロモードに切り替えることができる。
【００１１】
請求項２に係る情報端末装置は、開閉可能に接続された第１の筐体及び第２の筐体と、前記筐体を閉じたとき前記第１の筐体の内側になる面に配置された撮像手段を備え、撮影時に、前記第１の筐体と第２の筐体を所定の角度で開き、被写体と同一平面に前記第２の筐体の端面を接触させることを特徴とする。
【００１２】
請求項２に係る情報端末装置によれば、撮像手段と被写体との距離をほぼ固定でき、被写体への焦点合わせが容易になる。
【００１３】
請求項３に示すように請求項２記載の撮影装置において、前記第２の筐体の端面に配置された、前記撮像手段に撮影指示を与える撮影指示手段を備え、前記撮影指示手段は、前記被写体と同一平面に押し付けられたときに、前記撮像手段に撮影指示を与えることを特徴とする。
【００１４】
請求項３に係る情報端末装置によれば、撮影指示手段が被写体と同一平面に接していないと、撮影が実行されないので、より確実に撮像手段と被写体との距離を固定できる。
【００１５】
請求項４に示すように請求項３記載の撮影装置において、前記第２の筐体の端面に配置された、撮影時に前記第２の筐体を支持する３つの支持手段を備え、前記３つの支持手段のうちいずれか１つの支持手段は、押圧されたときに前記撮像手段に撮影指示を与える撮影指示手段を兼ねていることを特徴とする。
【００１６】
請求項５に示すように請求項４記載の撮影装置において、前記３つの支持手段は、３つ同時に押圧されたときに前記撮像手段に撮影指示を与える撮影指示手段を兼ねていることを特徴とする。
【００１７】
請求項４及び請求項５に係る情報端末装置によれば、第２の筐体と被写体平面とのなす角度を固定できるので、より確実に撮像手段と被写体との距離を固定できる。
【００１８】
請求項６に係る情報端末装置は、開閉可能に接続された第１の筐体及び第２の筐体と、前記筐体を閉じたとき前記第１の筐体の内側になる面に配置された撮像手段と、前記筐体のいずれか一方の内側の面に配置された表示手段と、を備え、撮影時に、前記表示手段の表示を被写体照明用に変化させることを特徴とする。
【００１９】
請求項６に係る情報端末装置によれば、情報端末装置に搭載されている表示手段を撮影時の照明としても使用することができる。
【００２０】
請求項７に示すように請求項６記載の撮影装置において、撮影時に、前記表示手段を少なくとも一部領域を単色の表示とすることを特徴とする。
【００２１】
請求項８に示すように請求項７記載の撮影装置において、前記単色が白色であることを特徴とする。
【００２２】
請求項９に示すように請求項２乃至８記載の撮影装置において、前記第１の筐体の外側の面に配置された、前記撮像手段の撮影可能範囲を表示する表示手段を備えることを特徴とする。
【００２３】
請求項９に係る情報端末装置によれば、被写体の位置合わせを容易に行うことができる。
【００２４】
請求項１０に係る情報端末装置は、撮像手段と、前記撮像手段の撮影可能範囲を被写体側に投影する投影手段と、を備えることを特徴とする。
【００２５】
請求項１０に係る情報端末装置によれば、被写体の位置合わせを容易に行うことができる。
【００２６】
請求項１１に示すように請求項１０記載の撮影装置において、前記投影手段が、発光素子と、前記発光素子からの発光を被写体側に投影する投影光学系と、を備えることを特徴とする。
【００２７】
請求項１２に示すように請求項１０記載の撮影装置において、前記撮像手段が、撮像素子と、前記撮像素子に被写体の像を結像させる結像光学系と、を備え、前記投影手段が、前記撮像素子の周囲に配置された発光素子を備え、前記結像光学系で、前記発光素子からの発光を被写体側に投影することを特徴とする。
【００２８】
請求項１３に示すように請求項１０記載の撮影装置において、前記撮像手段が、撮像素子と、前記撮像素子を保護する保護部材と、前記撮像素子に被写体の像を結像させる結像光学系と、を備え、前記投影手段が、前記保護部材に取り付けられた発光素子を備え、前記結像光学系で、前記発光素子からの発光を被写体側に投影することを特徴とする。
【００２９】
請求項１２及び１３に係る情報端末装置によれば、撮像手段（カメラ）の光学系を撮影可能範囲の投影用にも使用することで構成を簡略化できる。
【００３０】
請求項１４に示すように請求項１０乃至１３記載の撮影装置において、前記投影手段が、撮影の瞬間に撮影可能範囲の投影を中断することを特徴とする。
【発明の効果】
【００３１】
本発明によれば、撮影者が煩雑な操作をすることなく、自動で撮像手段（カメラ）を記号等の接写に適したマクロモードに切り替えることができる。また、本発明によれば、撮像手段と被写体との距離をほぼ固定でき、焦点合わせが容易になる。さらに、本発明によれば、カメラの視野を被写体側に投影することにより被写体の位置合わせを容易に行うことができる。
【発明を実施するための最良の形態】
【００３２】
以下添付図面に従って本発明に係る情報端末装置の好ましい実施の形態について説明する。
【００３３】
図１は、本発明の一実施形態にかかるカメラ付き携帯電話を示す斜視図である。図１に示すカメラ付き携帯電話は、第１の筐体１０ａと第２の筐体１０ｂからなっている。第１の筐体１０ａ及び第２の筐体１０ｂはヒンジ１０ｃを介して開閉可能に接続されている。
【００３４】
第１の筐体１０ａの閉じられたときに内側になる面には撮像手段（カメラ）１２及び画像表示手段（ディスプレイ）１４が取り付けられており、第２の筐体１０ｂには操作キー１６が取り付けられている。第１の筐体１０ａと第２の筐体１０ｂのヒンジ１０ｃには、後述するモード切替スイッチ１８が取り付けられている（図２等参照）。
【００３５】
ディスプレイ１４としては、ＬＣＤ（Liquid Crystal Display）やＥＬ（Electro Luminescent）発光シート等を用いることができる。
【００３６】
本実施形態のカメラ付き携帯電話は、１つのカメラで通常の撮影と接写撮影を行う。したがって、記号等の接写を行う際には、カメラ１２を通常撮影モードからマクロモード（接写用のモード）に切り替える必要がある。以下に、カメラ１２のモード切替方法について説明する。
【００３７】
図２は、カメラ１２の撮影モードの切り替え方法を説明するための図である。図２（Ａ）、（Ｃ）及び（Ｅ）は携帯電話１０の状態を示す側面図であり、図２（Ｂ）、（Ｄ）及び（Ｆ）はそれぞれ図２（Ａ）、（Ｃ）及び（Ｅ）の場合に対応した携帯電話１０のモード切替スイッチ１８を示す断面図である。
【００３８】
図２（Ｂ）等にはヒンジ１０ｃの第２の筐体１０ｂに固定された円筒状部材２０と第１の筐体１０ａに固定され、部材２０の中に回動自在に挿入された軸２２が示されている。
【００３９】
円筒状部材２０の内側の面の図における上部には、モード切替スイッチ１８が取り付けられている。軸２２には中心方向に孔２４が形成されており、孔２４の底にはばね２６が固定されている。ばね２６の孔２４の外側の端部には球状の部材（ボール）２８が取り付けられている。
【００４０】
図２（Ａ）に示すように携帯電話１０の第１の筐体１０ａと第２の筐体１０ｂがほぼ直角になるように開かれると、図２（Ｂ）に示すようにボール２８はばね２６の弾性力によって軸２２から半分ほど突出した状態となり、モード切替スイッチ１８に押し付けられる。そして、モード切替スイッチ１８が押された状態で所定の時間（例えば、０．５秒）経過すると、カメラ１２はマクロモードに切り替えられる。
【００４１】
次に、図２（Ｃ）に示すように、携帯電話１０が閉じられると、第１の筐体１０ａとともに軸２２が回転される。そして、図２（Ｄ）に示すように、ボール２８はモード切替スイッチ１８から離れ、円筒状部材２０の内側の面の図における左側に設けられた半球状の凹部３０に収められる。一方、図２（Ｅ）に示すように携帯電話１０が開かれると、図２（Ｆ）に示すように球状部材２８はモード切替スイッチ１８から離れ、円筒状部材２０の内側の面の図における右側に設けられた凹部３２に収められる。
【００４２】
上記のように、本実施形態のカメラ付き携帯電話１０は、第１の筐体１０ａと第２の筐体１０ｂが直角のときに、マクロモードに自動的に切り替わり、それ以外の時にはマクロモードが解除されるようになっている。また、ボール２８が軸２２からやや突出してモード切替スイッチ１８や凹部３０、３２に収められることにより、図２（Ａ）、（Ｃ）及び（Ｅ）の各場合に携帯電話１０の各筐体のなす角度が容易に変わるのを防いでいる。
【００４３】
本実施形態では、ヒンジ１０ｃに取り付けられたばね２６でモード切替スイッチ１８を操作したが、モード切替スイッチ１８としては電気スイッチを用いてもよい。また、ワイヤを用いてモードを切り替えてもよい。
【００４４】
図３は、ワイヤで撮影モードを切り替える例を示す図である。図３に示すように、ワイヤ５０は、カメラ１２のモード切替レバー５２とヒンジ１０ｃの軸５４の図における下端の固定点５６の間に張られている。図の軸５４は、第２の筐体１０ｂに固定されている。
【００４５】
図３に示すように、携帯電話１０が閉じられると、ワイヤ５０が軸５４に巻き取られ、モード切替レバー５２がワイヤ５０に引っ張られ、カメラ１２はマクロモードに切り替えられる。次に、携帯電話１０が各筐体１０ａ、１０ｂがほぼ直角となるように開かれると、軸５４に巻き取られていたワイヤ５０がやや伸びるが、カメラ１２はまだマクロモードに保たれる。そして、携帯電話１０が開かれると、軸５４に巻き取られていたワイヤ５０が伸びて、伸びたワイヤ５０でモード切替レバー５２が押されカメラ１２が通常撮影モードに切り替えられる。
【００４６】
次に、本実施形態のカメラ付き携帯電話を用いて接写を行う方法について説明する。図４は、本実施形態にかかるカメラ付き携帯電話を用いて接写を行う方法を示す図である。接写を行う際には、図４に示すように第２の筐体１０ｂの端面が被写体７０と同一平面（机など。以下の説明では、被写体平面と呼ぶ）７２に対して垂直になるように押し付けられる。上述のように、本実施形態の携帯電話１０はマクロモードのときに、第１の筐体１０ａと第２の筐体１０ｂの角度がほぼ直角であり、カメラ１２と被写体７０との距離がほぼ固定されるため、接写時に被写体７０に焦点を合わせるのが容易である。
【００４７】
本実施形態においては、図４に示すようにディスプレイ１４を用いて被写体７０を照明してもよい。例えば、接写を行う際に、ディスプレイ１４の全面又は一部に被写体の色に応じて読み取りに最適な特定の単色を表示させる。これにより、被写体７０を照明することができる。この場合の単色は明度の高い色（白色等）が好ましい。この場合、被写体７０を照明することで、シャッタの開放時間（露光時間）を短くすることができるため、手ブレによる画像の歪みを低減することができる。
【００４８】
なお、本実施形態においては、ディスプレイ１４とは別の照明手段（ＬＥＤ（Light Emitting Diode）やＥＬ等）を設けてもよい。
【００４９】
また、本実施形態においては、図４に示すように、第１の筐体１０ａの背面（閉じたときに外側になる面）にディスプレイ６０を設けて被写体７０の画像を目視して位置合わせしながら撮影するようにしてもよい。
【００５０】
本実施形態の携帯電話においては、第２の筐体１０ｂの端面にシャッタボタンを設けて、シャッタボタンを押し付けることにより撮影を行ってもよい。以下、このようなシャッタボタンの実施例について説明する。
【００５１】
図５はシャッタボタンの例を示す斜視図であり、図６は図５のシャッタボタンを用いて接写を行う方法を示す図である。図５に示す第２の筐体１０ｂの端面にはシャッタボタン８０が１つ設けられている。図６に示すように、シャッタボタン８０が被写体平面７２に押し付けられるとカメラ１２で撮影が行われる。この場合、シャッタボタン８０が被写体平面７２に押し付けられないと撮影が行われないため、より確実に焦点合わせを行うことができる。
【００５２】
次に、シャッタボタンの別の実施例について説明する。図７はシャッタボタンの別の例を示す図であり、図８は図７のシャッタボタンを用いて接写を行う方法を示す図である。符号８２、８４及び８６はシャッタボタンである。
【００５３】
図７に示すように、第２の筐体１０ｂの端面の図における右側に２つのシャッタボタン８２、８４が取り付けられており、左側に１つのシャッタボタン８６が取り付けられている。本実施例では、これらのシャッタボタン８２、８４及び８６が３つ同時に押された場合に撮影が行われる。
【００５４】
本実施例によれば、３つのシャッタボタンで第２の筐体を支持することにより、撮影時の第２の筐体１０ｂと被写体平面７２とがなす角度が安定するため、より確実に焦点合わせを行うことができる。
【００５５】
なお、本実施例においては、符号８２、８４及び８６が３つともシャッタボタンでなくてもよい。例えば、符号８６のみをシャッタボタンとして、残りの２つを単なる突起としてもよい。この場合、先に右側の突起８２及び８４を被写体平面７２に押し付けて、次に左側のシャッタボタン８６を押し付けて撮影を行う。
【００５６】
また、本実施形態においては、カメラ１２の視野（撮影可能な範囲）を被写体平面７２に投影するようにしてもよい。図９は、撮影可能範囲を被写体平面に投影するようにしたカメラ付き携帯電話を示す斜視図である。図９に示す携帯電話１０は、第１の筐体１０ａの上部にカメラ１２のほかに投影手段９０を備えている。
【００５７】
図１０は、投影手段９０を模式的に示す図である。図１０に示すように、投影手段９０は、矩形に配置された発光素子（ＬＥＤ）９２と、ＬＥＤ９２の像を被写体平面７２に投影する投影光学系９４とからなっている。ＬＥＤ９２の形状及び投影光学系９４は、被写体平面７２上に投影されるＬＥＤ９２の像９６がカメラ１２の視野（撮影の可能な範囲）に一致するように調整されている。本実施例では、撮影時に図１０に示すカメラ１２の撮影可能範囲９６に被写体７０が収まるようにする。これにより、被写体７０の位置合わせを容易に行うことができる。
【００５８】
なお、本実施例においては、撮影可能範囲９６が写りこむのを避けるため、撮影の瞬間（シャッタの開放時間（露光時間））にはカメラ１２の撮影可能範囲９６の投影を中断することが好ましい。
【００５９】
本発明においては、接写時におけるカメラ１２と被写体平面７２との距離が一定であり、カメラ１２による撮影可能範囲は変わらないため、正確な撮影可能範囲を投影することができる。
【００６０】
次に、投影手段９０の別の実施例について説明する。図１１は、本実施例に係るカメラの撮像素子を示す図である。図１１（Ａ）は斜視図であり、図１１（Ｂ）は断面図である。図１１に示すように、撮像素子（ＣＣＤ）１００は、回路１０２に設置されている。図１１（Ｂ）の符号１０４は、撮像素子１００を保護するカバーガラスである。図１１（Ａ）はカバーガラス１０４がはずされた状態を示している。
【００６１】
図１１（Ａ）に示すように、ＣＣＤ１００を取り囲むように発光素子（ＬＥＤ）１０６が配置されている。
【００６２】
図１２は、撮影可能範囲の投影方法を模式的に示す図である。符号１０８は、カメラ１２の撮像レンズである。本実施例においては、この撮影レンズ１０６をＬＥＤ１０２のパターンプロジェクタとして利用して、被写体平面７２上にＬＥＤ１０２の像１１０を投影する。
【００６３】
本実施例によれば、投影手段と撮像手段の光学系を共有することにより、構成を簡略化できる。
【００６４】
なお、上記の実施例においては、ＬＥＤ１０６をＣＣＤ１００のカバーガラス１０４に設けてもよい。図１３及び図１４は、カバーガラス１０４にＬＥＤ１０６を設けた例を示す図である。図１３（Ａ）は斜視図であり、図１３（Ｂ）は断面図である。また、図１４は断面図である。
【００６５】
図１３においては、カバーガラス１０４のＣＣＤ１００側の面（図における下面）に矩形のＬＣＤ１０６が設けられている。また、図１４においては、カバーガラス１０４の図における上面に矩形のＬＣＤ１０６が設けられている。
【図面の簡単な説明】
【００６６】
【図１】本発明の一実施形態にかかるカメラ付き携帯電話を示す斜視図
【図２】カメラ１２の撮影モードの切り替え方法を説明するための図
【図３】ワイヤで撮影モードを切り替える例を示す図
【図４】本実施形態にかかるカメラ付き携帯電話を用いて接写を行う方法を示す図
【図５】シャッタボタンの例を示す斜視図
【図６】図５のシャッタボタンを用いて接写を行う方法を示す図
【図７】シャッタボタンの別の例を示す図
【図８】図７のシャッタボタンを用いて接写を行う方法を示す図
【図９】撮影可能範囲を被写体平面に投影するようにしたカメラ付き携帯電話を示す斜視図
【図１０】投影手段９０を模式的に示す図
【図１１】本実施例に係るカメラの撮像素子を示す図
【図１２】撮影可能範囲の投影方法を模式的に示す図
【図１３】カバーガラス１０４の下面にＬＥＤ１０６を設けた例を示す図
【図１４】カバーガラス１０４の上面にＬＥＤ１０６を設けた例を示す図
【符号の説明】
【００６７】
１０…カメラ付き携帯電話、１０ａ…第１の筐体、１０ｂ…第２の筐体、１０ｃ…ヒンジ、１２…撮像手段（カメラ）、１４…画像表示手段、１８…モード切替スイッチ、６０…背面ディスプレイ、８０…シャッタボタン、９０…投影手段、９２…発光素子（ＬＥＤ）、９４…投影光学系、１００…撮像素子（ＣＣＤ）、１０６…発光素子（ＬＥＤ）
【図１】
2005300671.tif 000003
【図２】
2005300671.tif 000004
【図３】
2005300671.tif 000005
【図４】
2005300671.tif 000006
【図５】
2005300671.tif 000007
【図６】
2005300671.tif 000008
【図７】
2005300671.tif 000009
【図８】
2005300671.tif 000010
【図９】
2005300671.tif 000011
【図１０】
2005300671.tif 000012
【図１１】
2005300671.tif 000013
【図１２】
2005300671.tif 000014
【図１３】
2005300671.tif 000015
【図１４】
2005300671.tif 000016